(57)【要約】  【課題】電子機器類を載置して作業したり、ＰＤＡや多機能携帯電話端末、デジタルカメラの充電のために載置したりする木製又は樹脂製のテーブルにコンセントユニットを簡単に装備させることができるようにするものである。  【解決手段】天板（２）の上面を作業スペースとしている木製又は樹脂製のテーブル（１）であって、プラグ差込口（６）とＵＳＢポート（７）とを有し且つ電源供給ケーブル（８）を導出しているコンセントユニット（４）に磁石（１０）を設け、天板（２）の下面にコンセントユニット（４）の磁石（１０）に吸着できる吸着板（１１）を設けて、コンセントユニット（４）を天板（２）の下面に装備させるようにしたものである。【選択図】    図１
2015033422.tif 000002
【特許請求の範囲】
【請求項１】
磁石が吸着されない天板（２）の上面を作業又は置台スペースとしているテーブル（１）であって、電源供給ケーブル（８）が導出されたコンセットユニット（４）に磁石を設け、このコンセットユニット（４）の磁石と吸着する吸着板（１１）を前記天板（２）の下面に設け、この吸着板（１１）に前記コンセットユニット（４）の磁石を吸着させて天板（２）の下面にコンセットユニット（４）を備えさせるようにしたことを特徴とするテーブル。
【請求項２】
前記吸着板（１１）を、前記天板（２）の下面の複数箇所に設けるようにした請求項１に記載のテーブル。
【請求項３】
前記吸着板（１１）を、前記天板（２）の下面の少なくとも四隅に設けるようにした請求項１に記載のテーブル。
【請求項４】
前記吸着板（１１）を、前記天板（２）の下面の少なくとも中央部に設けるようにした請求項１に記載のテーブル。
【請求項５】
前記吸着板（１１）に、前記コンセットユニット（４）を保持する保持部材の取付部が設けられている請求項１，請求項２，請求項３，請求項４のいずれか１項に記載のテーブル。
【請求項６】
前記吸着板（１１）に、前記コンセットユニット（４）から導出された電源供給ケーブル（８）を保持する保持部材の取付部が設けられている請求項１，請求項２，請求項３，請求項４，請求項５のいずれか１項に記載のテーブル。
【発明の詳細な説明】
【技術分野】
【０００１】
本発明は、木、合板、樹脂板などの磁石が吸着されない天板を有するデーブル（例えば、会議用、食卓用、応接用、勉強用などの各種用途のテーブルやデスクなど）に、電源のコンセントユニットを簡単に装備させることのできるテーブルに関する。
【背景技術】
【０００２】
近年、ノートパソコンやタブレット型コンピュータ、ＰＤＡや多機能携帯電話端末、デジタルカメラなどのパーソナルユースの電子機器が発達し、多用されている。これらの電子機器類は内蔵されている充電池によって作動するようになっているから、頻繁な充電作業が求められる。
【０００３】
ところが、電源コンセントは、部屋の壁面に設けてあることが一般的で、これらの電子機器の充電が行いにくい環境となっている。このため、テーブルやデスクの天板を作業台又は置台として使用し、この天板上に電子機器本体を置き、この電子機器本体に充電用コードを接続し、この充電用コードにテーブルタップなどの電源延長コードを介して壁面の電源コンセントに接続している。このため、テーブル上に電気配線が散在することになる。
【０００４】
そこで、テーブルの天板が木製、合板製、又は樹脂板の場合は、その天板の中に、プラグ差込口とＵＳＢポートとを有するコンセントユニット（マルチコンセント）を埋設又は挿入するようにし、このコンセントユニットの電源供給ケーブルを壁面の電源コンセントに直接または電源延長コードを介して接続するようにしている（特許文献１参照）。
【先行技術文献】
【特許文献】
【０００５】
【特許文献１】登録実用新案第３１７２２３６号公報
【発明の概要】
【発明が解決しようとする課題】
【０００６】
しかしながら、前記コンセントユニット（マルチコンセント）をテーブルの天板や側面に埋設又は挿入するものでは、テーブルへの加工費用が高価となるとともに、テーブル内部での配線作業も面倒となる。
【０００７】
また、前記コンセントユニット（マルチコンセント）は、天板での設置個所が固定されることから、ＰＤＡや多機能携帯電話端末、デジタルカメラ、ノートパソコンやタブレット型コンピュータ、及び、それらの周辺機器などの電子機器を充電するための多数の電源供給ケーブルが天板上に露出されることになり、これらのケーブルが美観を損なうだけでなく、ほこりも溜まりやすくなり、また、これらのケーブルが電子機器類の新たな設置作業あるいは充電作業の時などに邪魔になるという不都合があった。
【０００８】
本発明は、このような事情に鑑みなされたもので、テーブルの天板が木製、合板製、又は樹脂板であっても、コンセントユニットを簡単に装備させることができ、しかも、電子機器類を新たに載置したり、ＰＤＡや多機能携帯電話端末、デジタルカメラの充電のために載置したりするテーブルの天板の上面に電源供給ケーブルが長尺に亘って露出しないようにするものである。
【課題を解決するための手段】
【０００９】
上述の目的を達成するために、請求項１に記載の発明は、磁石が吸着されない天板（２）の上面を作業又は置台スペースとしているテーブル（１）であって、電源供給ケーブル（８）が導出されたコンセットユニット（４）に磁石を設け、このコンセットユニット（４）の磁石と吸着する吸着板（１１）を前記天板（２）の下面に設け、この吸着板（１１）に前記コンセットユニット（４）の磁石を吸着させて天板（２）の下面にコンセットユニット（４）を備えさせるようにしたことを特徴とする。
ここで、前記電源供給ケーブルとは、電源供給コードを含む意味である。
また、前記コンセットユニットとは、たとえば一つの電源プラグを差し込める一つのプラグ差込口を有しているもの、あるいは、複数の電源プラグをそれぞれ差し込める複数のプラグ差込口を有しているもの、あるいは、少なくとも１つのプラグ差込口と少なくとも１つのＵＳＢポートとを有しているものなどを含む意味である。
【発明の効果】
【００１０】
請求項１の発明によれば、テーブルの天板が木製、合板製、又は樹脂板であっても、電源供給ケーブルが導出されたコンセントユニットの磁石を、天板の下面に設けた吸着板に吸着させることで、コンセントユニットを天板の下面に装備させることができ、コンセントユニットの装備を非常に簡単に行うことができる。
しかも、コンセントユニットの装備は磁石による吸着であるから、天板上の電子機器類の配置に合わせて、又は、電源供給ケーブルを導出させた方向に合わせて、適宜、位置調整や向きの調整をして設置することができる。
さらには、コンセントユニットを天板の下面に設けていることから、コンセントユニットの電源供給ケーブルは天板上に導出させずに済み、また、天板上の電子機器類に接続された電源供給ケーブルやＵＳＢコネクタの配線などもデーブルの縁から下方に落としてコンセントユニットに接続することができ、天板上にケーブルやコード、配線などが煩雑化するのを防止することができる。
【００１１】
請求項２および３の発明によれば、吸着板（１１）を天板（２）の下面の複数箇所または少なくとも四隅に設けるようにしたので、天板（２）上の電子機器類や壁面の電源コンセントの位置の状況に合わせて、より最適な位置にコンセントユニットの磁石を天板下面の吸着板（１１）に吸着させることができる。
また、請求項４の発明によれば、吸着板（１１）を天板（２）の下面の少なくとも中央部に設けるようにしたので、天板（２）上に複数の電子機器類が離れて置かれた場合に、これら離れた電子機器類に対し、同じようなケーブル長さあるいは配線長さで、それぞれの電子機器類とコンセントユニットとを接続することができ、便利となる。
【００１２】
請求項５の発明によれば、吸着板（１１）にコンセットユニット（４）を保持する保持部材の取付部を設けるようにしているので、吸着板（１１）の取付部によって保持部材を介してコンセットユニット（４）を保持させることができ、コンセットユニット（４）から電子機器類の電源プラグを抜く時にコンセットユニット（４）の磁石が吸着板（１１）から剥がれ落ちるといった不具合を防止することができる。
また、請求項６の発明によれば、吸着板（１１）にコンセットユニット（４）から導出された電源供給ケーブル（８）を保持する保持部材の取付部を設けるようにしているので、吸着板（１１）の取付部によって保持部材を介してコンセットユニット（４）を保持させることができ、コンセットユニット（４）から導出された電源供給ケーブル（８）が天板（２）の下方に垂れるのを防止することができる。
【図面の簡単な説明】
【００１３】
【図１】本発明の一実施形態を示すテーブルの概略外観図である。
【図２】本発明の一実施形態を示すコンセントユニットの斜視図である。
【図３】本発明の一実施形態のテーブルの下面を示す概略図である。
【図４】本発明の吸着板の他の実施形態を示す概略図である。
【図５】本発明の吸着板にコンセットユニット及びコンセットユニットの電源供給ケーブルを保持するための保持部材を取付ける取付部を設けた実施形態を示し、図５（ａ）はコンセットユニットの保持状態を示す断面図、図５（ｂ）はコンセットユニットの電源供給ケーブルの保持状態を示す断面図、図５（ｃ）はコンセットユニット及び電源供給ケーブルの双方の保持状態を示すテーブルの下面側からみた概略図である。
【図６】図５の吸着板に代えて更に吸着板の他の実施形態を示し、図６（ａ）はコンセットユニットの保持状態を示す断面図、図６（ｂ）はコンセットユニットの電源供給ケーブルの保持状態を示す断面図、図６（ｃ）はコンセットユニット及び電源供給ケーブルの双方の保持状態を示すテーブルの下面側からみた概略図である。
【発明を実施するための形態】
【００１４】
図１から図３は本発明の一実施形態を示している。
図１に示すように、このテーブル（１）は、磁石と吸着しない木製、合板製、又は樹脂板等の天板（２）と、この天板（２）を支える４本の脚（３）を有しており、天板（２）の下面には、磁石と吸着する複数の金属板製等の吸着板（１１）が設けられ、これら吸着板（１１）の何れかにコンセントユニット（４）が磁石（１０）を介して吸着固定されている。
なお、図１から図３については、コンセントユニット（４）の吸着させる位置及び方向について、説明の都合上、テーブル（１）及びコンセントユニット（４）の外観が把握しやすいように記載しているが、実際には使用者の好みに応じてコンセントユニット（４）を何れかの吸着板（１１）に吸着し、また、コンセントユニット（４）の方向も望む方向に調整するものである。
【００１５】
コンセントユニット（４）は、各種のものが存在するが、その一例として図２に示すように、ケーシング（５）の一側面に、各種電気機器から導出された給電用ケーブルの電源プラグを受け入れる２つのプラグ差込口（６）と、ＰＤＡや多機能携帯電話端末、デジタルカメラなどの電子機器の電源供給や充電に使用する２つのＵＳＢポート（７）を有し、ケーシング（５）の他側面から電源供給ケーブル（８）が導出されている構成である。
【００１６】
コンセントユニット（４）には、図２に示すように、吸着板（１１）と対向するようにケーシング（５）の外面部に磁石（１０）が固定状態で設けられている。この磁石（１０）はケーシング（５）の内部に設けるようにしてもよい。
天板（２）の下面には、前記磁石（１０）と吸着する吸着板（１１）が、四隅と中央部に設けられている。この吸着板（１１）は、少なくとも一つ設けられていればよく、好ましくは四隅、更に好ましくは中央部にも設けておくと便利である。また、各吸着板（１１）は、ビス等の止具、両面接着テープ、接着剤等の適宜の止付手段で天板（２）の下面に設けられている。
このようにして各吸着板（１１）及びコンセントユニット（４）の磁石（１０）は設けられているため、図３に示すように、コンセントユニット（４）の磁石（１０）を天板（２）の下面の何れかの吸着板（１１）に磁力で吸着させることで、コンセントユニット（４）を天板（２）の下面の希望する位置に固定することができる。
【００１７】
図４は、前記吸着板（１１）と長さの異なる他の実施形態の吸着板（１１）を示している。この吸着板（１１）は、長さの長い帯状の吸着板（１１）であって、天板（２）の下面での縁部に沿って前述の止付手段により設けられている。また、中央部にも帯状の吸着板（１１）が前述の止付手段により設けられている。
このような帯状の吸着板（１１）にすると、コンセントユニット（４）の磁石（１０）を天板（２）の下面の縁部に沿ってより自由な位置に磁力で吸着させることができ、天板（２）の下面に対するコンセントユニット（４）の希望する吸着位置をより拡大することができる。
【００１８】
図５（ａ）（ｂ）（ｃ）は、吸着板（１１）にコンセットユニット（４）及びコンセットユニット（４）の電源供給ケーブル（８）を保持するための実施形態を示している。
この吸着板（１１）は、両側に天板（２）の下面に対して前述の止付手段により取付ける固定部（１１ａ）と、この両固定部（１１ａ）の内端から下方に突き出す側板部（１３）と、この両側板部（１３）の長手方向に複数（好ましくは多数）間隔をあけて設けた孔よりなる取付部（１４）と、前記両側板部（１３）を繋ぎ且つコンセットユニット（４）の磁石（１０）と吸着させる吸着板部（１５）とを有している。
このような吸着板（１１）であれば、コンセットユニット（４）の磁石（１０）を吸着板部（１１）に磁力で吸着させた後、コンセットユニット（４）に対応する両取付部（１４）（孔）に保持部材（１２）（結束バンド）を挿通させ、この保持部材（１２）（結束バンド）でコンセットユニット（４）を外側から締付けて吸着板部（１５）に押付けることで、コンセットユニット（４）を吸着板部（１５）に強固に保持することができる。これによって、コンセットユニット（４）のプラグ差込口（６）又はＵＳＢポート（７）から、各種電気機器の給電用ケーブルの電源プラグ又はＵＳＢコネクタを抜く時に、コンセットユニット（４）が磁石（１０）の磁力不足で吸着が剥がれ落ちてしまう不具合を防止することができる。
また、コンセットユニット（４）の電源供給ケーブル（８）に対応する両取付部（１４）（孔）に保持部材（１２）（結束バンド）を挿通させ、この保持部材（１２）（結束バンド）で電源供給ケーブル（８）を外側から締付けて吸着板部（１５）に押付けることで、電源供給ケーブル（８）を吸着板部（１５）に保持することができる。これによって、電源供給ケーブル（８）が天板（２）の下面から下方に垂れ下がるのを防止することができ、天板（２）の下面に人間の足を入れる空間を確保することができる。
なお、保持部材（１２）は、結束バンドに限られず、紐、両端にフック付きのゴムバンド（又は複数のフックが設けられたゴム輪）、樹脂被覆された針金等、適宜の保持部材を使用することができるものである。
【００１９】
図６（ａ）（ｂ）（ｃ）は、吸着板（１１）にコンセットユニット（４）及びコンセットユニット（４）の電源供給ケーブル（８）を保持するための更に他の実施形態を示している。
この吸着板（１１）は、両側に下方に突き出す弧状の側板部（１３）と、この両側板部（１３）の外側部の長手方向に複数（好ましくは多数）間隔をあけて設けた孔よりなる取付部（１４）と、前記両側板部（１３）の内側部の両端を繋ぎ且つ前記天板（２）の下面に対して前述の止付手段により取付けると共にコンセットユニット（４）の磁石（１０）と吸着させる吸着板部（１５）とを有している。
このような吸着板（１１）であれば、コンセットユニット（４）の磁石（１０）を吸着板部（１５）に磁力で吸着させた後、コンセットユニット（４）に対応する両取付部（１４）（孔）に保持部材（１２）（例えば、両端にフック付きのゴムバンド又は複数のフックが設けられたゴム輪）のフックを引っ掛けて、この保持部材（１２）のゴムバンド又はゴム輪でコンセットユニット（４）を外側から吸着板部（１５）に押付けることで、コンセットユニット（４）を吸着板部（１５）に強く保持することができる。これによっても、コンセットユニット（４）のプラグ差込口（６）又はＵＳＢポート（７）から、各種電気機器の給電用ケーブルの電源プラグ又はＵＳＢコネクタを抜く時に、コンセットユニット（４）も磁石（１０）の磁力不足で吸着が剥がれ落ちてしまう不具合を防止することができる。
また、コンセットユニット（４）の電源供給ケーブル（８）に対応する両取付部（１４）（孔）に保持部材（１２）（例えば、両端にフック付きのゴムバンド又は複数のフックが設けられたゴム輪）のフックを引っ掛けて、この保持部材（１２）のゴムバンド又はゴム輪で電源供給ケーブル（８）を外側から吸着板部（１５）に押付けることで、電源供給ケーブル（８）を吸着板部（１５）に保持することができる。これによっても、電源供給ケーブル（８）が天板（２）の下面から下方に垂れ下がるのを防止することができ、天板（２）の下面に人間の足を入れる空間を確保することができる。
なお、図６の吸着板（１１）の実施形態では、吸着板部（１５）を天板（２）の下面に前述の止付手段により取付けるようにしたが、この吸着板部（１５）の取付けに代えて、図６の吸着板（１１）にも両側板部（１３）の外側部の両端に図５の固定部（１１ａ）と同様の固定部を設けて、これら両固定部を前述の止付手段により天板（２）の下面に取付けるようにしてもよいし、これら両固定部と吸着板部（１５）をともに前述の止付手段により天板（２）の下面に取付けるようにしてもよい。
【００２０】
上記実施態様では、コンセントユニット（４）に給電用ケーブルの電源プラグを受け入れる２つのプラグ差込口（６）と、電子機器の電源供給や充電に使用する２つの給電用ＵＳＢポート（７）とを配置したものについて説明したが、ＵＳＢポートはデータ通信機能を有するＵＳＢポートに代えてもよく、または、データ通信機能を有するＵＳＢポートを１つ以上追加したものであってもよく、更に、コンセントユニット（４）にＬＡＮ接続用のコネクタ差込口を有するものであってもよい。
【００２１】
なお、本発明のテーブルとしては、食卓用テーブル、デスクのほか、各種サイドテーブル、ベッドのヘッドボードの置台テーブルなどにも適用することができるものである。
【符号の説明】
【００２２】
１    テーブル
２    テーブルの天板
４    コンセントユニット
６    プラグ差込口
７    ＵＳＢポート
８    電源供給ケーブル
１０  磁石
１１  吸着板
１２  保持部材
【図１】
2015033422.tif 000003
【図２】
2015033422.tif 000004
【図３】
2015033422.tif 000005
【図４】
2015033422.tif 000006
【図５】
2015033422.tif 000007
【図６】
2015033422.tif 000008